(57)【要約】【課題】短い作業時間で安全にタンクを解体することができるタンク解体装置およびタンク解体方法を提供することを課題とする。【解決手段】タンク解体方法では、タンク１０を覆設可能な枠体２を設置する枠体設置工程Ｓ１と、前記タンク１０を切断し、切断された切断片１０４をタンク１０の底部１０３に吊り降ろす解体工程Ｓ４と、吊り下ろされた前記切断片１０４を前記タンク１０から搬出する搬出工程Ｓ５と、を実施する。前記解体工程Ｓ４では、切断装置４により前記タンク１０を切断する切断工程Ｓ４１と、前記切断装置４により切断された前記切断片１０４を吊り降ろし可能な吊り装置５により前記切断片１０４を前記タンク底部１０３に吊り降ろす吊り降ろし工程Ｓ４２と、を実施する。【選択図】図１
2020148004.tif 000002
【特許請求の範囲】
【請求項１】
タンクを解体するタンク解体装置であって、
前記タンクを覆設可能な枠体と、
前記タンクを切断可能な切断装置と、
前記切断装置により切断された切断片を吊り下げ可能な吊り装置と、を備える、タンク解体装置。
【請求項２】
前記枠体は、前記タンクよりも高く形成される複数の鉛直材と、
前記鉛直材の上方に設けられる上部材と、
前記タンクと前記鉛直材との間に設けられる足場と、を有する、請求項１に記載のタンク解体装置。
【請求項３】
前記枠体を固定する固定手段をさらに有する、請求項１または請求項２に記載のタンク解体装置。
【請求項４】
前記枠体に設けられ、準閉空間を形成可能な保護シートをさらに備える、請求項１〜３の何れかに記載のタンク解体装置。
【請求項５】
タンクを解体するタンク解体方法であって、
前記タンクを覆設可能な枠体を設置する枠体設置工程と、
前記タンクを切断し、切断された切断片をタンク底部に吊り降ろす解体工程と、
吊り下ろされた前記切断片を前記タンクから搬出する搬出工程と、を含み、
前記解体工程は、切断装置により前記タンクを切断する切断工程と、
前記切断装置により切断された前記切断片を吊り降ろし可能な吊り装置により前記切断片を前記タンク底部に吊り降ろす吊り降ろし工程と、を有する、タンク解体方法。
【請求項６】
前記枠体設置工程は、前記枠体に設けられ準閉空間を形成可能な保護シートを設置する保護シート設置工程を含む、請求項５に記載のタンク解体方法。
【請求項７】
前記切断装置により前記タンクの天井部を切断し、切断された前記天井部を前記吊り装置により前記タンク底部に吊り下ろす天井部吊り降ろし工程と、
前記タンク底部から前記切断片が搬出される搬出口を形成する搬出口形成工程と、をさらに含み、
前記天井部吊り降ろし工程と前記搬出口形成工程とは、前記切断工程の前に行われる、請求項５または請求項６に記載のタンク解体方法。
【発明の詳細な説明】
【技術分野】
【０００１】
本発明は、大型タンクを解体するためのタンク解体装置およびタンク解体方法に関するものである。
【背景技術】
【０００２】
従来、大型タンクの解体はクレーン等の大型機械を用いる方法や、重機に加えて足場等併用し、一部の作業を手動で行う方法等により行われていた（例えば、特許文献１や特許文献２）。
【先行技術文献】
【特許文献】
【０００３】
【特許文献１】特許第３０４７１６５号公報
【特許文献２】特開平１０−１５９３５７号公報
【発明の概要】
【発明が解決しようとする課題】
【０００４】
しかしながら、近年では例えば原子力発電所で使用されている放射性物質を含んだ汚染水等の危険度の高いものを収容していたタンクの解体需要が増し、作業員が長時間続けてタンク付近で作業を行えないことや、周辺への粉塵等の問題に新たに直面している。
特許文献１や特許文献２に記載のタンク解体方法では、解体作業時に複数の重機や足場等が必要となるため、複数の設備を設置する必要があり作業時間が長くかかることが問題であった。また、周辺への環境対策がさらに必要となるため、設備、費用面にも問題があった。
【０００５】
本発明は、以上のような点を考慮してなされたものであり、短い作業時間でタンクを解体することができるタンク解体装置およびタンク解体方法を提供することを課題とする。
また、本発明は、安全にタンクを解体することができるタンク解体装置およびタンク解体方法を提供することを課題とする。
【課題を解決するための手段】
【０００６】
上記課題を解決するため、本発明では以下の手段を採用した。
本発明の好ましい形態では、タンクを解体するタンク解体装置であって、前記タンクを覆設可能な枠体と、前記タンクを切断可能な切断装置と、前記切断装置により切断された切断片を吊り下げ可能な吊り装置と、を備える。
【０００７】
本発明に係るタンク解体装置によれば、タンクを覆設可能な枠体と切断層装置と吊り下げ装置を備える装置を、タンクの周りを覆うように設置することにより解体作業を行うことができる。すなわち、タンク解体装置の設置を含める全体の作業時間を大幅に短縮することができる。
【０００８】
本発明の好ましい形態では、前記枠体は、前記タンクよりも高く形成される複数の鉛直材と、前記鉛直材の上方に設けられる上部材と、前記タンクと前記鉛直材との間に設けられる足場と、を有する。
このように、枠体に足場を設けることにより足場を別途設ける必要がないため、作業時間を短縮することができる。さらに断面積が増えるためタンク解体装置の強度を高めることができる。
【０００９】
本発明の好ましい形態では、前記枠体を固定する固定手段をさらに有する。
このように、固定手段を設けることによりタンク解体装置自体の転倒防止等の効果を有し、安全にタンクを解体することができる。
【００１０】
本発明の好ましい形態では、前記枠体に設けられ、準閉空間を形成可能な保護シートをさらに備える。
このように、保護シートを枠体に設けることにより、タンク解体時に生じる汚染物質や粉塵等を外部に漏出させないようにすることができる。
【００１１】
また、本発明はタンクを解体するタンク解体方法にも関する。すなわち、本発明の一態様のタンク解体方法は、タンクを解体するタンク解体方法であって、前記タンクを覆設可能な枠体を設置する枠体設置工程と、前記タンクを切断し、切断された切断片をタンク底部に吊り降ろす解体工程と、吊り下ろされた前記切断片を前記タンクから搬出する搬出工程と、を含み、前記解体工程は、切断装置により前記タンクを切断する切断工程と、前記切断装置により切断された前記切断片を吊り降ろし可能な吊り装置により前記切断片を前記タンク底部に吊り降ろす吊り降ろし工程と、を有する。
【００１２】
本発明に係るタンク解体方法によれば、枠体を設置後すぐに解体作業に移ることが可能であり、全体として短い作業時間でタンクを解体することができる。また、切断片をタンクの底部に吊り降ろすことで切断作業を進め、作業時に生じる粉塵等が周辺に飛びにくくなるため、周辺環境に安全に作業を行うことができる。
【００１３】
本発明の一態様のタンク解体方法は、前記枠体設置工程は、前記枠体に設けられ準閉空間を形成可能な保護シートを設置する保護シート設置工程を含む。
このように、保護シート設置することにより粉塵等を外部に漏出させずに保護シートを設置した空間に留めた状態で作業を行うができる。すなわち、周辺環境配慮した安全なタンク解体方法である。
【００１４】
本発明の一態様のタンク解体方法は、前記切断装置により前記タンクの天井部を切断し、切断された前記天井部を前記吊り装置により前記タンク底部に吊り下ろす天井部吊り降ろし工程と、前記タンク底部から前記切断片が搬出される搬出口を形成する搬出口形成工程と、をさらに含み、前記天井部吊り降ろし工程と前記搬出口形成工程とは、前記切断工程の前に行われる。
このように、切断開始時にタンクの天井部を切断しタンク底部に吊り降ろすことにより、最も汚染度が高いと想定される底部に天井部により蓋をし、より安全に作業することができる。
【発明の効果】
【００１５】
開示した技術によれば、短い作業時間で安全にタンクを解体することができるタンク解体装置およびタンク解体方法を提供することができる。
【００１６】
他の課題、特徴及び利点は、図面及び特許請求の範囲とともに取り上げられる際に、以下に記載される発明を実施するための形態を読むことにより明らかになるであろう。
【図面の簡単な説明】
【００１７】
【図１】本発明の一実施形態に係るタンク解体装置の斜視図である。
【図２】本発明の一実施形態に係るタンク解体装置の図１におけるＩ−Ｉ線断面図である。
【図３】本発明の一態様のタンク解体方法のフローチャートである。
【図４】本発明の一態様のタンク解体方法における枠体設置工程を説明するための説明図である。
【図５】本発明の一態様のタンク解体方法における天井部吊り降ろし工程を説明するための説明図である。
【図６】本発明の一態様のタンク解体方法における天井部吊り降ろし工程および搬出口形成工程を説明するための説明図である。
【図７】本発明の一態様のタンク解体方法における解体工程を説明するための説明図である。
【図８】本発明の一態様のタンク解体方法における解体工程を説明するための説明図である。
【図９】本発明の一態様のタンク解体方法における解体工程および搬出工程を説明するための説明図である。
【図１０】本発明の一態様のタンク解体方法における搬出工程および作業完了時を説明するための説明図である。
【発明を実施するための形態】
【００１８】
以下、本発明を図面に示した好ましいタンク解体装置の一実施形態および一態様のタンク解体方法について、図１〜図１０を用いて詳細に説明する。本発明の技術的範囲は、添付図面に示した実施形態に限定されるものではなく、特許請求の範囲に記載された範囲内において、適宜変更が可能である。
【００１９】
［タンク解体装置］
図１および図２に示す本発明の一実施形態に係るタンク解体装置１は、天井部１０１と側部１０２と底部１０３とを有するタンク１０を解体するための装置であり、短時間の作業で安全にタンク１０を解体する技術に着眼した。
なお、図２に示すようにＸ軸に沿って幅方向（タンク１０等の直径）を定め、Ｙ軸に沿って高さ方向（上下方向）を定める。
【００２０】
本発明に係るタンク解体装置１は、タンク１０を覆設可能な枠体２と、その枠体２に設けられる保護シート３（図４以降参照）と、タンク１０を切断する切断装置４（不図示）と、切断装置４で切断された切断片１０４を吊り下げ可能な吊り装置５と、枠体２を固定する固定手段６（図４以降参照）と、集塵機７（図４以降参照）とを備えている。
【００２１】
枠体２は、タンク１０の高さよりも高く形成された複数の鉛直材２１と、鉛直材２１に直行し、鉛直材２１の上方かつ天井部１０１の上方の位置に設けられる上部材２２と、上部材２２に平行に設けられる水平材２３と、枠体２の補強のために設けられる補強材２４と、枠体２を固定する固定手段６が設けられる固定留部２５と、作業者が移動可能な足場２６と、枠体２をクレーン等で吊り下げて移動させるための吊り部２７とを有する。
本実施形態では円筒形のタンク１０を例示したため、タンク１０の形状に合う円筒形に枠体２を形成しているが、タンク１０を覆設可能であれば、例えば角柱等の任意の形状として良い。
【００２２】
鉛直材２１は、タンク１０の周囲に設けられる。設置部分に脚部が設けられていることにより、安定支持を可能とするため、必要に応じて脚部を設けても良い。鉛直材２１の高さは、少なくともタンク１０の天井部１０１と上部材２２の間に吊り装置５を設けることが可能な高さとする。なお、好ましくはタンク１０高さの１．２〜１．５倍程度である。
【００２３】
本実施形態においては、鉛直材２１を略円形上に等間隔に６本設けた例を示しているが、鉛直材２１は、枠体２を立体として保持することができる数（少なくとも横倒れせずに保持できるように３本）設けられて入れば良く、数や間隔に制限は設けていない。なお、本実施形態のように等間隔に鉛直材２１を設けることにより、外力の影響を均等に分散することができるため、枠体２をより安定して保持することできる。
【００２４】
上部材２２および水平材２３は各鉛直材２１に対して直行方向内向きに設けられており、略円形である。上部材２２は鉛直材２１の上方に設けられ、好ましくは鉛直材２１の上端に設けられることである。水平材２３は上部材２２よりも下側に設けられ、好ましくは、等間隔に複数設けることである。本実施形態では、水平材２３を２つ設けた例を示しているが、少なくとも１つ設けられていれば鉛直材２１の位置を固定することが可能であるため、数や位置に制限は設けていない。好ましくは、少なくとも１つの水平材２３を下方に設けることであり、鉛直材２１の下端が開く方向に力を受けることを抑制することができる。
【００２５】
補強材２４は、鉛直材２１と上部材２２、水平材２３により形成された単位格子の対角上に設けられる側部補強材２４１と上部材２２に設けられる上部補強材２４２とを有する。側部補強材２４１は、単位形状が略三角形形状となるように設けられることが好ましい。上部補強材２４２は、上部材２２の中心から周方向に向かって設けられ、ブレース等として使用される。
なお、補強材２４の設ける位置や数は枠体２の自重や強度を考慮して自由に決めることができる。
【００２６】
固定留部２５は、鉛直材２１や水平材２３に設けられ、後述する固定手段６を接続する。固定留部２５は、固定手段６によりタンク解体装置１を安全に固定可能に設けられていれば良く、固定留部２５の数や位置に制限は設けていないが、好ましくは各鉛直材２１に1つずつ、タンク１０の半分の高さの位置に設けられることである。
【００２７】
足場２６は、鉛直材２１に直行するように設けられ、鉛直材２１から内側に向かって延出する。また、鉛直材２１に高さ方向に複数設けられる。足場２６は水平方向に連続的に設けられていても良いし、断続的に設けられていても良い。また、足場２６の数や設ける間隔等は自由に決めて良いが、足場２６を設けることにより、より安全に作業を行うことが可能となる。
また、各高さにおける足場２６は、階段やはしご、脚立等により接続されており、作業員が自由に必要な位置で作業できるような位置に設けられている。
【００２８】
本発明においては、クレーン等で枠体２をタンク１０に覆設する位置に設置するため、枠体２には吊り部２７が設けられている。吊り部２７は、枠体２を吊り下げて移動可能であれば自由に位置を決めて良いが、本実施形態では、安定して吊り移動が可能となるように、上部に設けている。
【００２９】
枠体２は、強度面を考慮して平鋼や角型鋼等の材料で形成することが想定されているが、材料の材質や形状は必要な強度に合わせて選択して良く、適宜リブやフランジ等を付けて補強して良い。例えば、枠体２の材料として炭素鋼、合金鋼、アルミニウム、スチール等を例示することができる。
【００３０】
保護シート３は、枠体２を覆うように設けられ、準閉空間を形成可能に設置する。すなわち、外部に汚染物質や切断時の粉塵等を漏出させないために設けるものであるあることから、保護シート３の端部を枠体２の設置位置（地上面Ｇ）に接着して準閉空間を形成する。
なお、保護シート３は、枠体２を覆い準閉空間を形成することが可能であれば、大きさや形状に制限は設けていない。
【００３１】
本明細書における準閉空間とは、空間の内外において粉塵等の微粒子や汚染物質等の往来が制限された空間のことを指す。一方で、この準閉空間においては粉塵等の微粒子や汚染物質等を漏出させない大きさや位置においては開口部や孔を設けても良い。
【００３２】
保護シート３は、外部に汚染物質や切断時の粉塵等を漏出させないために設けるものである。例えば難燃性材料、不燃性材料等の材質で形成されていることが好ましい。
また、保護シート３は枠体２をタンク１０に覆設した後に設置しても良いし、先に枠体２に設置させてからタンク１０に枠体２を覆設させても良い。
【００３３】
切断装置４は、作業員が足場２６に乗って使用することが想定されている。そのため、電源装置部分は地上面Ｇに設置し、ケーブルを延長して切断機部分を枠体２上方で使用する。例えば、電源装置を設置する地上面Ｇとしては鉛直材２１とタンク１０との間やタンク解体装置１外部を例示することができる。
また、枠体２に切断装置４用のレールを設けて、切断機部分を設置し遠隔操作により切断作業を行うこともできる。
【００３４】
切断装置４として、例えばレーザー切断機、プラズマ切断機、ガス切断機等の切断機を例示することができる。
なお、作業速度およびタンク１０の材質（例えば、軟鋼）や側部１０２の厚さ（例えば、１６ｍｍ）を考慮するとプラズマ切断機を用いることが好ましく、プラズマ切断機を用いる場合は、切断機部分が切断トーチとなる。
【００３５】
吊り装置５は、枠体２の上部に設けられ、回転可能に接続されるレール部５１と、レール部５１の中心に設けられる固定吊り部５２と、レール部５１に設けられる可動吊り部５３と、固定吊り部５２および可動吊り部５３に設けられる吊り手段５４を有する。
【００３６】
レール部５１は、上部材２２または上部補強材２４２または鉛直材２１の上部に設けられ、稼働前にはタンク１０上方に位置するように設ける。また、レール部５１は、中心部５１１とタンク１０の周方向に向かって延びる腕部５１２とを有しており、中心部５１１を軸（図２に示す破線Ｃ）として回転可能に設けられている。腕部５１２は、少なくとも２つ以上設けられており長さは少なくともタンク１０の半径以上とする。
【００３７】
腕部５１２の設けられる好ましい位置は、中心部５１１を中心として等間隔に設けられることである。すなわち、例えば３つの腕部５１２が設けられる場合は、中心部５１１を中心として、中心角を１２０°とする位置に設けることである。
【００３８】
固定吊り部５２は、レール部５１の中心（中心部５１１）に設けられ上下方向にのみ動くことができる。すなわち、固定吊り部５２は昇降を可能とする。可動吊り部５３は、固定吊り部５２とレール部５１の端部との間を移動可能に設けられ、上下方向および水平方向に位置を調整可能とする。すなわち、可動吊り部５３は、昇降と横行を可能とする。また、固定吊り部５２および可動吊り部５３も回転可能としても良い。
なお、可動吊り部５３は好ましくは各腕部５１２に少なくとも１つ設けられていることである。固定吊り部５２および可動吊り部５３は、例えば電動チェーンブロックを例示することができる。
【００３９】
固定吊り部５２および可動吊り部５３の先端には吊り手段５４が設けられている。この吊り手段５４は、切断装置４により切断される部分（切断片１０４）を切断前から保持しておくことにより、より安定して切断が可能となる上、切断直後に切断片１０４が落下することを防止可能である。また、切断された切断片１０４をタンク１０の底部１０３に吊り降ろす作業に使用する。
吊り手段５４は、切断片１０４を保持可能であれば様々なものを選択することができる。例えば、フック、磁石、ロボットアーム等を例示することができる。
【００４０】
固定手段６は、枠体２が切断作業による力や風による外力、作業員の移動による力等により、倒れることを防ぐことが目的であり、固定留部２５に接続される。枠体２は、支持面（接地面）が大きくないことから、固定手段６を設けることが好ましい。
【００４１】
本実施形態に係る固定手段６は、重りである固定ウェイト６１と、固定留部２５に固定ウェイト６１を接続するための固定ケーブル６２を有している。
なお、固定手段６は重りに限らず、例えば固定ケーブル６２により既存の建築物等の固定されているものに接続したり、地中に固定したりしてもよい。
【００４２】
集塵機７は、解体作業において生じる粉塵や汚染された空気を外部に漏らさずきれいな空気として排出可能にするために設けられる。集塵機７は、フィルター７１とダクト７２を有しており、集塵機７により集められた空気は、フィルター７１により粉塵等を除去した状態で外部に排出可能とする。また、保護シート３により準閉空間を形成しているため、換気における排出口としての役割も果たす。
【００４３】
ダクト７２は保護シート３に囲まれた空間と集塵機７とを接続する。好ましくはダクト７２が２つ以上設けられていることであり、その２つのダクト７２の一方はタンク１０内部と集塵機７とを接続し、他方は保護シート３とタンク１０との間の空間と集塵機７を接続する。このようにダクト７２を設けることで、タンク１０内部とタンク１０と保護シート３との間の空間とを分けて効率的に空気を循環させ、集塵することができる。
なお、換気を目的とする際には、すくなくとも１つの給気口を保護シート３に設ける必要がある。
【００４４】
［タンク解体方法］
本発明の一態様のタンク解体方法は、図３に示す各ステップを実施する。
ここでは、上記タンク解体装置１を用いたタンク解体方法について図３〜図１０を参照して説明する。なお、本発明に係るタンク解体方法では、タンク１０に水等の内容物がある場合は先に排出して、空のタンク１０に対して実行することとする。
【００４５】
タンク解体方法は、枠体２をタンク１０に覆設するように設置する枠体設置工程（ステップＳ１）と、タンク１０の天井部１０１を切断して底部１０３に吊り降ろす天井部吊り降ろし工程（ステップＳ２）と、切断された切断片１０４を搬出する搬出口１０５を形成する搬出口形成工程（ステップＳ３）と、タンク１０を切断し、切断された切断片１０４を吊り降ろす解体工程（ステップＳ４）と、タンク１０の底部１０３に集められた切断片１０４を搬出する搬出工程（ステップＳ５）と、を含む。
【００４６】
枠体設置工程Ｓ１において枠体２は、鉛直材２１がタンク１０の周囲に配置される位置に設置される。このようにして、タンク１０が覆設される。枠体２の設置には、図４に示すようにクレーン等の機械により吊り下げて設置され、クレーン等は枠体２に設けられている吊り部２７に係止される。枠体２は、設置されてからタンク１０が解体されるまでは動かす必要はない。
【００４７】
枠体設置工程Ｓ１は、保護シート３を枠体２に設置する保護シート設置工程（ステップＳ１１）を含む。保護シート３は、枠体２の全体を覆い、さらに地上面Ｇに接着して準閉空間を形成する。保護シート３の設置によりタンク１０の解体作業において生じる粉塵等を外部に漏出させないようにする目的である。なお、保護シート３を地上面Ｇに接着する際には、少なくとも切断片１０４を搬出可能な開閉部を形成し、搬出時のみ開けるようにする（図９または図１０参照）。
【００４８】
保護シート設置工程Ｓ１１は、枠体２をタンク１０に設置する前に枠体２に設置しても良いし、枠体２をタンク１０に設置した後に設置しても良いが切断作業を始める前に設置することが好ましい。
【００４９】
図５および図６に示す天井部吊り降ろし工程Ｓ２は、切断装置４と吊り装置５を用いて行われる。まず、作業員が天井部１０１の高さまで足場２６を利用して向かう。次に吊り装置５の可動吊り部５３により天井部１０１を支える。そして最後に切断装置４を用いて天井部１０１を地上面Ｇと平行に切断し、切断された天井部１０１をタンク１０の底部１０３に吊り降ろす。
【００５０】
この時、タンク１０の天井部１０１は、底部１０３に吊り降ろすことを前提とするため、切断される天井部１０１は、側部１０２の断面積（地上面Ｇと平行方向の断面積）以下となる位置が切断される。なお、タンク１０が円筒形ではない場合、最も狭く形成されている部分の断面積以下に切断される。
【００５１】
また、天井部吊り降ろし工程Ｓ２では、吊り降ろす対象が大きいため、安定して水平状態を保持しながら吊り降ろすことが必要となる。したがって、吊り手段５４として好ましくは磁石を用いることであり、図５に示すように少なくとも２点以上で支えることが必要となる。
【００５２】
例えば汚染物質や有害物質に使用していたタンク１０の場合には、タンク１０の底部１０３が最も濃度が高いことが想定されるため、天井部吊り降ろし工程Ｓ２によりタンク１０の天井部１０１によりタンク１０の底部１０３に蓋をすることができる。作業員がタンク１０周辺（枠体２の足場２６）で作業をする際には、危険性を低減することができる。
【００５３】
上記の効果を最大限発揮させるために、天井部１０１は、側部１０２の断面積以下の面積となる位置で切断されるが、好ましくは吊り降ろすことが可能な最大の大きさに切断することである。すなわち、底部１０３を天井部１０１により覆うことにより効果を発揮するため、側部１０２を通過可能であり、かつ底部１０３を最大限覆うことができる位置で天井部１０１が切断されることが好ましい。
【００５４】
天井部吊り降ろし工程Ｓ２は、枠体設置工程Ｓ１と解体工程Ｓ４との間に行われる。必須工程ではないが、上述のような危険度の高いタンク１０を解体する際にはこの工程を含むことが好ましい。
【００５５】
本実施形態では切断装置４は作業員による手動、吊り装置５は遠隔で操作することを想定しているが、切断装置４はタンク解体装置１の説明において記述したように切断装置４用のレールを用いて遠隔により操作することもできる。なお、タンク解体装置１の説明において説明した通り、タンク１０の解体にはプラズマ切断機を用いることが好ましく、切断速度が速いため、レールに取り付ける時間等のセッティングに要する時間を考慮すると手動の方が早く作業を完了できる。
【００５６】
断された切断片１０４はタンク１０の底部１０３に吊り降ろされる。図６に示す搬出口形成工程Ｓ３は、底部１０３に吊り降ろされた切断片１０４を搬出するための搬出口１０５を形成する工程である。搬出口１０５を形成する位置は底部１０３の何れの位置でも良いが、搬出作業の効率化、すなわち作業導線を考慮すると隣合う２つの鉛直材２１の間となる位置に設けることが好ましい。
【００５７】
天井部吊り降ろし工程Ｓ２を行った際には、底部１０３に天井部１０１が配置された状態となる。天井部１０１の形状が低い円錐状や球状であれば傾斜により地上面Ｇとの高さの差が生じないため搬出作業に問題は生じないが、タンク１０が円柱状等の天井部１０１が平らに形成されている場合には、地上面Ｇとの間に段差が生じするため作業効率が落ちることが懸念される。そのため上記の問題に該当する際には、搬出口１０５に天井部１０１と同じ高さから地上面Ｇに向かって傾斜するように形成された傾斜台等（不図示）を設けることが好ましい。
【００５８】
また、上述のように天井部１０１の形状が低い円錐状や球場である場合には、切断片１０４が吊り降ろされる面が斜面や球面となるため、安定した搬出作業が困難となる。したがってこのような場合には、地上面Ｇと平行な面を形成するために敷台１０６を配置する。この敷台１０６は、搬出口１０５の位置から中心を通った直線上に設けることが好ましく、効率的な作業導線を形成することができる。
【００５９】
搬出口形成工程Ｓ３も天井部吊り降ろし工程Ｓ２と同様に枠体設置工程Ｓ１と解体工程Ｓ４との間に行われ、天井部吊り降ろし工程Ｓ２と搬出口形成工程Ｓ３との間の順番は任意である。
なお、搬出口形成工程Ｓ３は、天井部吊り降ろし工程Ｓ２の後に行われることが好ましく、吊り降ろされた天井部１０１の高さを考慮して搬出口１０５を形成することが可能となるため、搬出口１０５の大きさ調整等の手間を省くことができる。
【００６０】
図７〜図９に示す解体工程Ｓ４は、切断装置４によりタンク１０を切断する切断工程（ステップＳ４１）と切断工程Ｓ４１により切断された切断片１０４をタンク１０の底部１０３に吊り降ろす吊り降ろし工程（ステップＳ４２）を有する。
【００６１】
切断工程Ｓ４１は、図７に示すように切断装置４を作業員が操作してタンク１０を切断する工程である。切断された切断片１０４が切断された瞬間に落下することを防止するため、切断工程Ｓ４１では、吊り装置５の可動吊り部５３により切断片１０４となる部分を支持する。なお、天井部吊り降ろし工程Ｓ２と同様に、切断装置４は手動で吊り装置５は遠隔で操作される。
【００６２】
切断工程Ｓ４１は、天井部吊り降ろし工程Ｓ２が実施された場合にはタンク１０の側部１０２から切断を開始し、実施されなかった場合には天井部１０１から切断が開始されるが、何れの場合にも切断工程Ｓ４１はタンク１０の上部から下部に向けて進める。
【００６３】
吊り降ろし工程Ｓ４２において切断片１０４は、吊り装置５により吊り降ろされるため、切断装置４により単位形状に切断されることが好ましい。すなわち、バランスが取れるよう少なくとも地上面Ｇと平行な方向に対称な形状であることが好ましい。切断片１０４の切断形状として、略正方形、略長方形、略三角形形状等が例示できる。
【００６４】
ここで、後述する本発明の一態様の搬出工程Ｓ５において搬出作業は、図８示すようなコンテナ８を用いて行われ、切断工程Ｓ４１において最初の切断片１０４が吊り降ろされるまでにコンテナ８をタンク１０の底部１０３に配置する。コンテナ８は、持ち上げずに搬送可能なように、タイヤ（ローラー）を有していることが好ましく、より好ましくはこのタイヤをロック可能とすることである。
【００６５】
また、本明細書においては、直径１０ｍ、高さ１５ｍ、板厚１６ｍｍの略円柱形（天井部１０１が低い円錐状）のタンク１０を解体対象として例示しているため、コンテナ８は６ｍ３の収容能力のあるものを例示している。対象のタンク１０の大きさやコンテナ８の大きさは上記したサイズに限定されるものではなく、より小さいものや大きいものを使用することもできる。コンテナ８の大きさは、解体対象のタンク１０の大きさ、搬出頻度等を考慮して選択することが好ましい。
【００６６】
上述したように、天井部１０１の形状が低い円錐状や球場である場合には、切断片１０４が吊り降ろされる面が斜面や球面となるため、敷台１０６が設けられる。この場合には作業導線（すなわちコンテナ８の移動）を一方向の往復に限定することができる。したがって、コンテナ８の搬送が容易に可能である。
【００６７】
上記したように、切断片１０４は吊り装置５によりコンテナ８に収容されるため、切断片１０４は、コンテナ８に収容可能な大きさとする必要がある。例示したサイズのタンク１０においては、幅１．７ｍ、高さ１．７ｍの略正方形に切断する例を示すことができる。
切断片１０４は、安定して吊り降ろすことが可能なように上述のような対称形状であり、かつコンテナ８に収容可能な大きさの条件下であれば自由な大きさ、形状に切断することができる。
【００６８】
以上のように吊り降ろし工程Ｓ４２は、切断工程Ｓ４１において吊り装置５により支持されていた切断片１０４が完全にタンク１０から切断された状態で行われる。切断工程Ｓ４１において吊り下げされた切断片１０４をタンク１０の底部１０３に設けられるコンテナ８に直接収容するように吊り降ろす。
なお、吊り装置５のレール部５１は中心部５１１を軸（図２に示す破線Ｃ）として回転可能であるため、タンク１０の何れの部分を切断してもコンテナ８を移動することなく一定位置に収容することができる。
【００６９】
解体工程Ｓ４において切断工程Ｓ４１と吊り降ろし工程Ｓ４２は、底部１０３に適当な量溜まった切断片１０４を搬出するまで繰り返される。吊り降ろしのたびに切断片１０４を搬出したり、ある程度溜まってから搬出したりと、搬出のタイミングは自由に決めて良く、切断工程Ｓ４１と吊り降ろし工程Ｓ４２は、複数回繰り返されても良い。
本発明の一態様の解体方法においては、コンテナ８が切断片１０４により満載となるまで切断工程Ｓ４１と吊り降ろし工程Ｓ４２が繰り返される（図９参照）。
【００７０】
図９および図１０に示す搬出工程Ｓ５は、切断工程Ｓ４１と吊り降ろし工程Ｓ４２の繰り返しによりコンテナ８に適量の切断片１０４が収容された後に行われ、搬出口１０５からコンテナ８を搬出し、コンテナ８の中身が保管場所に保管され、空になったコンテナ８は再度タンク１０の底部１０３に設けられる。
【００７１】
また、搬出工程Ｓ５においてコンテナ８を搬出する際には、図９および図１０に示すように保護シート３に形成された開閉可能な開閉部を開いて搬出作業を行う。なお、搬出作業時以外には保護シート３は開閉しないことが好ましい。
【００７２】
また、タンク１０が完全に解体されるまで、解体工程Ｓ４と搬出工程Ｓ５が繰り返される。すなわち、搬出工程Ｓ５完了後は、切断工程Ｓ４１に戻って作業が続けられる。タンク１０が完全に解体されたら工程は終了となる。全ての工程が終了した後には、枠体２を次のタンク１０に移動させる、または撤去することとなる。
【００７３】
以上のように、本発明によれば、足場２６、切断装置４、吊り装置５が設けられるタンク１０解体するためのタンク解体装置１をタンク１０に覆設させることにより、足場２６や解体用の重機等の他の設備を設けることなくタンク１０を解体することができる。すなわち、解体作業前の準備時間を削減し、全体として作業時間を短縮することができる。したがって、作業員がタンク１０付近で作業を行う時間も削減することができるため、危険度の高い内容物が収容されていたタンク１０においても作業員の安全に配慮して解体作業を行うことができる。
【００７４】
また、このような構成としてタンク１０の解体を、切断片１０４をタンク１０の底部１０３、すなわちタンク１０の内側に吊り降ろして行うことにより、解体作業を全て枠体２の空間で行うことができる。したがって、切断や吊り降ろし作業時に生じる粉塵等の微粒子の飛散を抑制することができ、さらに作業面積を削減することもできる。すなわち、周辺の安全に配慮し作業空間が限定された場所でもタンク１０を解体することができる。
【００７５】
また、切断時に生じる粉塵やタンク１０の内部に収容されていた内容物による汚染物質や有害物質を周辺に漏出させないための保護シート３が設けられていることにより、より安全性の高いタンク解体方法となる。また、上述したように切断片１０４をタンク１０の内部に吊り降ろす解体方法と保護シート３との効果が相俟って、粉塵や汚染物質等の漏出を抑制可能な、安全なタンク解体方法を提供することができる。
【００７６】
また、天井部１０１を先に切断し、最も有害物質や汚染物質の濃度が高いと想定されるタンク１０の底部１０３に蓋をして、作業員の安全確保が可能となる。すなわち、タンク１０解体前に行われるタンク１０の内容物の排出により、有害物質や汚染物質が溜まって残りやすいと考えられる底部１０３に天井部１０１による蓋を被せて有害物質や汚染物質漏出を抑制する着想である。
したがって、密閉されていたタンク１０は、切断時から徐々に有害物質や汚染物質を外部に漏出していくため、最も有害物質や汚染物質の濃度が高い底部１０３に蓋をすることで、漏出量を少なくし、作業員の安全および周辺環境の安全性の向上させる効果有している。
【００７７】
また、切断装置４と吊り装置５を一緒に用いることにより、安全にタンク１０を解体することができる。すなわち、切断された切断片１０４は吊り装置５により支持されていることにより、切断し易く、また切断による突然の落下を防止することができる。
【００７８】
また、タンク解体装置１が枠体２により形成されているため、タンク１０の解体のついでに排出口を設けるだけで、切断片１０４を簡単に排出することができる。すなわち、枠体２は搬出口１０５を設けずとも多くに開口部を有しているため、タンク１０の底部１０３を一部切断することにより、簡単に切断片１０４を搬出が可能となる。搬出口１０５の形成は、タンク１０の解体と同様の作業であるため、作業時間を短縮し、かつ作業を円滑に進めることができる。
【符号の説明】
【００７９】
１  タンク解体装置
２  枠体
３  保護シート
４  切断装置
５  吊り装置
６  固定手段
１０  タンク
２１  鉛直材
２２  上部材
２６  足場
１０１  天井部
１０３  底部
１０４  切断片
１０５  搬出口
Ｓ１  枠体設置工程
Ｓ１１  保護シート設置工程
Ｓ２  天井部吊り降ろし工程
Ｓ３  搬出口形成工程
Ｓ４  解体工程
Ｓ４１  切断工程
Ｓ４２  吊り降ろし工程
Ｓ５  搬出工程
【図１】
2020148004.tif 000003
【図２】
2020148004.tif 000004
【図３】
2020148004.tif 000005
【図４】
2020148004.tif 000006
【図５】
2020148004.tif 000007
【図６】
2020148004.tif 000008
【図７】
2020148004.tif 000009
【図８】
2020148004.tif 000010
【図９】
2020148004.tif 000011
【図１０】
2020148004.tif 000012
【手続補正書】
【提出日】令和1年8月8日(2019.8.8)
【手続補正１】
【補正対象書類名】特許請求の範囲
【補正対象項目名】全文
【補正方法】変更
【補正の内容】
【特許請求の範囲】
【請求項１】
タンクを解体するタンク解体装置であって、
前記タンクに覆設可能な枠体と、
前記タンクを切断可能な切断装置と、
前記切断装置により切断された切断片を吊り下げ可能な吊り装置と、
前記タンク解体装置全体を吊り下げて移動可能な吊り部と、を備える、タンク解体装置。
【請求項２】
前記枠体は、前記タンクの周りを覆うように設置可能な大きさに設定されている、請求項１に記載のタンク解体装置。
【請求項３】
前記枠体は、前記タンクよりも高く形成される複数の鉛直材と、
前記鉛直材の上方に設けられる上部材と、
前記タンクと前記鉛直材との間に設けられる足場と、を有する、請求項１または請求項２に記載のタンク解体装置。
【請求項４】
前記枠体に設けられ、前記枠体全体を覆い準閉空間を形成可能な保護シートをさらに備える、請求項１〜３の何れかに記載のタンク解体装置。
【請求項５】
前記保護シートで囲まれた空間の粉塵や汚染された空気をきれいな空気にして排出可能な集塵機をさらに備える、請求項４に記載のタンク解体装置。
【請求項６】
前記吊り装置は、中心を軸に回転可能に接続されている、請求項１〜５に記載のタンク解体装置。
【請求項７】
タンクを解体するタンク解体方法であって、
タンク解体装置全体を吊り下げ可能な吊り部により前記タンク解体装置をタンク上方から吊り降ろし枠体を前記タンクに覆設させる枠体設置工程と、
前記タンクを解体する解体工程と、
解体された前記タンクを搬出する搬出工程と、
前記タンク解体装置を次のタンクに吊り下げて移動させる工程と、を含む、タンク解体方法。
【請求項８】
前記解体工程は、前記タンクを切断片に切断する切断工程と、
前記切断片を前記タンク底部に吊り降ろす吊り降ろし工程と、を有する、請求項７に記載のタンク解体方法。
【請求項９】
前記枠体設置工程は、前記枠体全体を覆うように設けられ準閉空間を形成可能な保護シートを設置する保護シート設置工程を含む、請求項７または請求項８に記載のタンク解体方法。
【請求項１０】
前記切断装置により前記タンクの天井部を切断し、切断された前記天井部を前記吊り装置により前記タンク底部に吊り下ろす天井部吊り降ろし工程をさらに含み、
前記天井部吊り降ろし工程は、前記解体工程の前に行われる、請求項７〜９の何れかに記載のタンク解体方法。
【請求項１１】
前記タンク底部から前記切断片が搬出される搬出口を形成する搬出口形成工程をさらに含み、
前記搬出口形成工程とは、前記解体工程の前に行われる、請求項７〜１０の何れかに記載のタンク解体方法。
【手続補正書】
【提出日】令和1年12月27日(2019.12.27)
【手続補正１】
【補正対象書類名】特許請求の範囲
【補正対象項目名】全文
【補正方法】変更
【補正の内容】
【特許請求の範囲】
【請求項１】
タンクを解体するタンク解体装置であって、
前記タンクに覆設可能な枠体と、
前記タンクを切断可能な切断装置と、
前記切断装置により切断された切断片を吊り下げ可能な吊り装置と、
前記タンク解体装置全体を吊り下げて移動可能な吊り部と、
前記枠体に設けられ、前記枠体全体を覆い準閉空間を形成可能な保護シートと、を備え、
前記タンクには、その底部に、前記切断片が搬出される搬出口が形成され、
前記保護シートには、前記切断片が搬出される、開閉可能な開閉部が形成されているタンク解体装置。
【請求項２】
前記枠体は、前記タンクの周りを覆うように設置可能な大きさに設定されている、請求項１に記載のタンク解体装置。
【請求項３】
前記枠体は、前記タンクよりも高く形成される複数の鉛直材と、
前記鉛直材の上方に設けられる上部材と、
前記タンクと前記鉛直材との間に設けられる足場と、を有する、請求項１または請求項２に記載のタンク解体装置。
【請求項４】
前記保護シートで囲まれた空間の粉塵や汚染された空気をきれいな空気にして排出可能な集塵機をさらに備える、請求項１〜３の何れかに記載のタンク解体装置。
【請求項５】
前記吊り装置は、中心を軸に回転可能に接続されている、請求項１〜４の何れかに記載のタンク解体装置。
【請求項６】
タンクを解体するタンク解体方法であって、
タンク解体装置全体を吊り下げ可能な吊り部により前記タンク解体装置をタンク上方から吊り降ろし枠体を前記タンクに覆設させる枠体設置工程と、
前記タンクの底部から前記タンクの切断片が搬出される搬出口を形成する搬出口形成工程と、
前記タンクを解体する解体工程と、
解体された前記タンクを搬出する搬出工程と、
前記タンク解体装置を次のタンクに吊り下げて移動させる工程と、を含み、
前記枠体設置工程は、前記枠体全体を覆うように設けられ準閉空間を形成可能な保護シートを設置する保護シート設置工程を有し、
前記解体工程は、前記タンクを切断片に切断する切断工程と、
前記切断片を前記タンクの底部に吊り降ろす吊り降ろし工程と、を有し、
前記搬出口形成工程とは、前記解体工程の前に行われ、
前記搬出工程は、前記保護シートに形成された開閉可能な開閉部を開いて、前記切断片を搬出する工程を有するタンク解体方法。
【請求項７】
前記タンクを切断可能な切断装置により前記タンクの天井部を切断し、切断された前記天井部を前記吊り装置により前記タンクの底部に吊り下ろす天井部吊り降ろし工程をさらに含み、
前記天井部吊り降ろし工程は、前記解体工程の前に行われる、請求項６に記載のタンク解体方法。